(57)【要約】ミッドソール、ミッドソールプレートに対して固定されるアッパー、及びアッパーに通して延在する紐を備える履物品及び関連の方法を開示する。ミッドソール内に位置決めされる電動紐締めシステムは、紐の張力を増減するよう紐に係合するよう構成される。電動紐締めシステムは、モータシャフトを含むモータ、モータシャフトに連結され、モータシャフトの回転に基づいて紐を巻き取りまた巻き戻すよう構成されたスプール、プロセッサ回路、及び光学エンコーダを有する。光学エンコーダは、主軸を画定し、また第２複数セグメント間に位置決めされる第１複数セグメントがある表面を有する３次元エンコーダと、円筒形エンコーダにおける光学範囲内に位置決めされ、第１複数セグメント及び第２複数セグメントのうち検出されたセグメントを示している信号をプロセッサ回路に出力するよう構成された光センサとを備える。【選択図】図４
2021527544.tif 000002
【特許請求の範囲】
【請求項１】
履物品において、
ミッドソールと、
前記ミッドソールに対して固定されるアッパーと、
前記アッパーに通される紐と、
前記ミッドソール内に位置決めされる電動紐締めシステムであって、前記紐の張力を増減するため前記紐に係合するよう構成される、該電動紐締めシステムと、
を備え、
前記電動紐締めシステムは、
モータシャフトを含むモータと、
前記モータシャフトに連結され、前記モータシャフトの回転に基づいて前記紐を巻き取りまた巻き戻すよう構成されたスプールと、
プロセッサ回路と、
光学エンコーダと、
を備え、
前記光学エンコーダは、
主軸を画定し、また第２複数セグメント間に位置決めされる第１複数セグメントがある表面を有する３次元エンコーダであり、前記第１複数セグメントは、前記第２複数セグメントとは異なる光反射特性を有し、前記モータシャフトの回転が前記３次元エンコーダを前記主軸周りに回転させるよう前記モータシャフトに固定される、該３次元エンコーダと、
前記円筒形のエンコーダにおける光領域内に位置決めされ、前記第１複数セグメント及び前記第２複数セグメントのうち検出された一方のセグメントを示している信号を前記プロセッサ回路に出力するよう構成された光センサと、
を有し、
前記プロセッサ回路は、少なくとも部分的に前記光センサから受信する信号に基づいて前記モータを動作させるよう構成されている、履物品。
【請求項２】
請求項１記載の履物品において、前記３次元エンコーダは円筒形を形成する、履物品。
【請求項３】
請求項１記載の履物品において、前記電動紐締めシステムは印刷回路板（ＰＣＢ）を備え、前記ＰＣＢ上に前記プロセッサ回路及び前記光センサを位置決めする、履物品。
【請求項４】
請求項３記載の履物品において、前記光センサは、前記ＰＣＢの第１大表面上における第１光センサ、及び前記ＰＣＢの第２大表面上における第２光センサを有する、履物品。
【請求項５】
請求項４記載の履物品において、前記第１光センサと前記第２光センサとの間の間隔は、前記第１複数セグメントにおける隣接するセグメント間の間隔にほぼ等しい、履物品。
【請求項６】
請求項１記載の履物品において、前記３次元エンコーダの表面は前記主軸に対面する、履物品。
【請求項７】
請求項１記載の履物品において、前記３次元エンコーダの表面は前記主軸側とは反対側に対面する、履物品。
【請求項８】
履物品を作成する方法において、
ミッドソールをアッパーに固定するステップと、
紐をアッパーに通すステップと、
前記紐の張力を増減するため前記紐に係合するよう構成される電動紐締めシステムを前記ミッドソール内に位置決めするステップと、
を含み、
前記電動紐締めシステムは、
モータシャフトを含むモータと、
前記モータシャフトに連結され、前記モータシャフトの回転に基づいて前記紐を巻き取りまた巻き戻すよう構成されたスプールと、
プロセッサ回路と、
光学エンコーダと、
を備え、
前記光学エンコーダは、
主軸を画定し、また第２複数セグメント間に位置決めされる第１複数セグメントがある表面を有する３次元エンコーダであり、前記第１複数セグメントは、前記第２複数セグメントとは異なる光反射特性を有し、前記モータシャフトの回転が前記３次元エンコーダを主軸周りに回転させるよう前記モータシャフトに固定される、該３次元エンコーダと、
前記円筒形のエンコーダにおける光領域内に位置決めされ、前記第１複数セグメント及び前記第２複数セグメントのうち検出された一方のセグメントを示している信号を前記プロセッサ回路に出力するよう構成された光センサと、
を有し、
前記プロセッサ回路は、少なくとも部分的に前記光センサから受信する信号に基づいて前記モータを動作させるよう構成されている、方法。
【請求項９】
請求項８記載の方法において、前記３次元エンコーダは円筒形をなす、方法。
【請求項１０】
請求項８記載の方法において、前記電動紐締めシステムは、印刷回路板（ＰＣＢ）を備え、前記ＰＣＢ上に前記プロセッサ回路及び前記光センサを位置決めする、方法。
【請求項１１】
請求項１０記載の方法において、前記光センサは、前記ＰＣＢの第１大表面上における第１光センサ、及び前記ＰＣＢの第２大表面上における第２光センサを有する、方法。
【請求項１２】
請求項１１記載の方法において、前記第１光センサと前記第２光センサとの間の間隔は、前記第１複数セグメントにおける隣接するセグメント間の間隔にほぼ等しい、方法。
【請求項１３】
請求項８記載の方法において、前記３次元エンコーダの表面は前記主軸に対面する、方法。
【請求項１４】
請求項８記載の方法において、前記３次元エンコーダの表面は前記主軸側とは反対側に対面する、方法。
【請求項１５】
電動紐締めシステムにおいて、
モータシャフトを含むモータと、
前記モータシャフトに連結され、前記モータシャフトの回転に基づいて紐を巻き取りまた巻き戻すよう構成されたスプールと、
プロセッサ回路と、
光学エンコーダと、
を備え、
前記光学エンコーダは、
主軸を画定し、また第２複数セグメント間に位置決めされる第１複数セグメントがある表面を有する３次元エンコーダであり、第１複数セグメントは、第２複数セグメントとは異なる光反射特性を有し、前記モータシャフトの回転が前記３次元エンコーダを前記主軸周りに回転させるよう前記モータシャフトに固定される、該３次元エンコーダと、
前記円筒形のエンコーダにおける光領域内に位置決めされ、前記第１複数セグメント及び前記第２複数セグメントのうち検出された一方のセグメントを示している信号を前記プロセッサ回路に出力するよう構成された光センサと、
を有し、
前記プロセッサ回路は、少なくとも部分的に前記光センサから受信する信号に基づいて前記モータを動作させるよう構成されている、電動紐締めシステム。
【請求項１６】
請求項１５記載の電動紐締めシステムにおいて、前記３次元エンコーダは円筒形をなす、電動紐締めシステム。
【請求項１７】
請求項１５記載の電動紐締めシステムにおいて、前記電動紐締めシステムは印刷回路板（ＰＣＢ）を備え、前記ＰＣＢ上に前記プロセッサ回路及び前記光センサを位置決めする、電動紐締めシステム。
【請求項１８】
請求項１７記載の電動紐締めシステムにおいて、前記光センサは、前記ＰＣＢの第１大表面上における第１光センサ、及び前記ＰＣＢの第２大表面上における第２光センサを有する、電動紐締めシステム。
【請求項１９】
請求項１８記載の電動紐締めシステムにおいて、前記第１光センサと前記第２光センサとの間の間隔が、前記第１複数セグメントにおける隣接するセグメント間の間隔にほぼ等しい、電動紐締めシステム。
【請求項２０】
請求項１５記載の電動紐締めシステムにおいて、前記３次元エンコーダの前記表面が前記主軸に対面する、電動紐締めシステム。
【請求項２１】
請求項１５記載の電動紐締めシステムにおいて、前記３次元エンコーダの前記表面が前記主軸側とは反対側に対面する、電動紐締めシステム。
【発明の詳細な説明】
【技術分野】
【０００１】
優先権主張
本出願は、２０１８年８月３１日に出願した米国仮出願第６２／７２５,７３３号の優先権の恩恵を主張し、これは参照により全体が本明細書に組み入れられるものとする。
【０００２】
本明細書に開示する要旨は、概して、回転ドラムに基づく光学エンコーダを用いる自動紐締めモータを有する履物品に関する。
【０００３】
幾つかの実施形態を例として示すが、以下の添付図面の図に制限されない。
【図面の簡単な説明】
【０００４】
【図１】例示的実施形態における履物品用の電動紐締めシステムのコンポーネントの分解図である。
【図２】例示的実施形態における履物品用の電動紐締めシステムのコンポーネントの全体的ブロック図を示す。
【図３】例示的実施形態における２次元ディスクを有する光学エンコーダの描写図である。
【図４】例示的実施形態における３次元エンコーダの描写図である。
【図５】例示的実施形態における３次元エンコーダを有する光学エンコーダの描写図である。
【図６Ａ】例示的実施形態における光学エンコーダの主軸に対して中心がずれている光学エンコーダの動作を示す説明図である。
【図６Ｂ】例示的実施形態における光学エンコーダの主軸に対して中心がずれている光学エンコーダの動作を示す説明図である。
【図６Ｃ】例示的実施形態における光学エンコーダの主軸に対して中心がずれている光学エンコーダの動作を示す説明図である。
【図７】例示的実施形態における３次元エンコーダの別実施例の描写図である。
【図８Ａ】例示的実施形態における３次元エンコーダ用の製造プロセスを示す。
【図８Ｂ】例示的実施形態における３次元エンコーダ用の製造プロセスを示す。
【図８Ｃ】例示的実施形態における３次元エンコーダ用の製造プロセスを示す。
【発明を実施するための形態】
【０００５】
本発明による例示的方法及びシステムは、回転ドラムに基づく光学エンコーダを使用することによる自動紐締めモータを有する履物品を企図する。実施例は、単にあり得る変形例を代表するに過ぎない。他を明示しない限り、コンポーネント及び機能は随意的であり、また組み合せ又は細分化することができ、また動作は、逐次変化させる、又は組み合わせる又は細分化することができる。説明目的としての以下の記載において、例示的実施形態の完全な理解が得られるよう多くの細部を記述する。しかし、当業者には、本発明の要旨がこれら特別な細部なしに実施できることは明らかであろう。
【０００６】
靴のような履物品は、従来型及び非従来型双方の様々なコンポーネントを備えることができる。従来型コンポーネントは、アッパー、ソール、及び紐又は履物品内に装用者の足を包囲及び固定するための他の固定機構を備えることができる。としては、紐を引締める及び／又は緩めるよう電動紐締めシステムが紐に係合することができる。付加的又は代替的電子機器は、履物品に対して、モータを動作及び駆動させる、履物品の性質に関する情報を感知する、ディスプレイを光らせる及び／又は他の知覚に関する刺激を与える等々を含む種々の機能性を付与することができる。
【０００７】
概して、とくに、運動アクティビティの性能に指向性を持たせた履物品に関しては、サイズ、形状、堅牢性、履物品の重量のような特性がとくに重要であり得る。履物品のコンポーネントが、例えば、比較的に丈の高い、重さのある及び／又は脆弱な履物品にしがちである場合、運動アクティビティの性能に効果的であるべき履物品の能力を減殺するおそれがある。
【０００８】
電動紐締めシステム内に含んでいる履物品の電子機器の文脈で利用できるコンポーネントの１つのタイプは光学エンコーダである。光学エンコーダは、モータ及び／又は、例えば、モータに連結したスプールであって、紐を巻き取りまた巻き戻すスプールの回転運動を追跡するのに利用することができる。モータ及び／又はスプールの回転を追跡することによって、コントローラは、紐の望ましい形態を得るためにモータ及び／又はスプールをどのくらいより多く回転させられるかに関する情報を得ることができる。しかし、従来型の光学エンコーダは、比較的積み上がっていく、また比較的脆弱になっていくことを含めて、上述したような履物品の問題を生ずるおそれがある。
【０００９】
従来型の光学エンコーダは、平面状、例えば、円形の場合があり得る。光学エンコーダは、円の軸線の周りにスピンし、また円形の上方又は下方に位置決めされる光センサがエンコーダの部分に対する通過を感知することができる。全体的形状がドラム又はシリンダである３次元光学エンコーダが開発された。以下に詳細に説明するように、３次元光学エンコーダは、製造並びに実装の双方が容易であり、この実装は、コンパクト性及び堅牢性の双方ともに従来型の２次元光学エンコーダよりも高いものである。
【００１０】
図１は、例示的実施形態における履物品用の電動紐締めシステムのコンポーネントの分解説明図である。このシステムは履物品に関して説明するが、履物品に関して説明する原理は、多様な装用可能な任意の物品にも等しく適用されると認識及び理解すべきである。図１に示す電動紐締めシステム１００は、ハウジング構造１０３を有する紐締めエンジン１０２、蓋１０４，アクチュエータ１０６、ミッドソールプレート１０８、ミッドソール１１０、及びアウトソール１１２を備える。図１は、自動紐締め履物品プラットフォームのコンポーネントの基本的組立てシーケンスを示す。電動紐締めシステム１００は、ミッドソールプレート１０８をミッドソール内に固定することから開始する。次に、アウトソール１１２に埋設することができるインタフェースボタンに対向するミッドソールプレートの側面における開口内にアクチュエータ１０６を挿入する。次に、紐締めエンジン１０２をミッドソールプレート１０８内に落とし込む。実施例において、紐締めシステム１００は紐締めケーブルの連続ループの下に挿入され、また紐締めケーブルは紐締めエンジン１０２内のスプールに整列する（以下に説明する）。最終的に、蓋１０４をミッドソールプレート１０８における溝内に挿入し、閉鎖した状態に固定し、またミッドソールプレート１０８における窪み内に係止する。蓋１０４は、紐締めエンジン１０２を捕捉し、また動作中における紐締めケーブルの整列維持を支援することができる。
【００１１】
図２は、例示的実施形態における電動紐締めシステム１００のコンポーネントの全体的ブロック図を示す。システム１００は、電動紐締めシステムにおける幾つかの、ただし必ずしもすべてである必要はないコンポーネント、例えば、インタフェースボタン２００、足存在センサ２０２、プロセッサ回路２０４を有する印刷回路板アセンブリ（ＰＣＡ）を包囲する紐締めエンジンハウジング１０２、バッテリー２０６、受信コイル２０８、光学エンコーダ２１０、モーションセンサ２１２、及び駆動機構２１４を備える。光学エンコーダ２１０は、光センサと、この光センサによって独立して検出可能なはっきりと区別できる部分を有するエンコーダとを有する。駆動機構２１４は、とりわけ、モータ２１６、トランスミッション２１８、及び紐スプール２２０を有することができる。モーションセンサ２１２は、とりわけ、単一軸線又は多重軸線加速度計、磁力計、ジャイロメーター、又はハウジング構造１０２の若しくはハウジング構造１０２内あるいはそれに結合される１つ又はそれ以上のコンポーネントの動きを感知するよう構成された他のセンサ又はデバイスを有することができる。一実施例において、電動紐締めシステム１００は、プロセッサ回路２０４に接続される磁力計２２２を備える。
【００１２】
図２の実施例において、プロセッサ回路２０４は、インタフェースボタン２００、足存在センサ２０２、バッテリー２０６、受信コイル２０８、及び駆動機構２１４のうち１つ又はそれ以上とデータ又は電力の信号を通信する。トランスミッション２１８はモータ２１６をスプールに連結して、駆動機構２１４を形成する。図２の実施例において、ボタン２００、足存在センサ２０２、及び環境センサ２２４は、紐締めエンジン１０２の外側又は部分的に外側に示す。一実施例において受信コイル２０８は、紐締めエンジン１０２のハウジング１０３上又はその内部に位置決めする。
【００１３】
種々の実施例において、受信コイル２０８は、ハウジング１０３の外側大表面、例えば、頂部又は底部の表面上に位置決めし、また特別な実施例においては底部表面に位置決めする。種々の実施例において、受信コイル２０８はチー（ｑｉ）充電コイルであるが、任意の好適なコイル、例えば、Ａ４ＷＰ充電コイルを代わりに利用することができる。
【００１４】
一実施例において、プロセッサ回路２０４は駆動機構２１４の１つ又はそれ以上の局面を制御する。例えば、プロセッサ回路２０４は、ボタン２００からの、及び／又は足存在センサ２０２からの、及び／又はモーションセンサ２１２からの情報を受け取り、またこれに応答して駆動機構２１４を制御する、例えば、足の周りに履物を引締める又は緩めるよう構成することができる。一実施例において、プロセッサ回路２０４は、付加的又は代替的に、その他の機能のうち足存在センサ２０２又は他のセンサからのセンサ情報を取得又は記録するコマンドを発生するよう構成される。一実施例において、プロセッサ回路２０４は、(1) 足存在センサ２０２を用いて足の存在を検出する、及び(2) モーションセンサ２１２を用いて特別な仕草を検出することで、駆動機構２１４の動作を調節する。
【００１５】
環境センサ２２４からの情報を用いて、足存在センサ２０２のベースライン又は基準値をアップデート又は調整することができる。以下にさらに説明するように、容量性足存在センサによって測定されたキャパシタンス値は、時間の経過にわたり、例えば、センサ近傍の周囲条件に応じて変動し得る。環境センサ２２４からの情報を用いてプロセッサ回路２０４及び／又は足存在センサ２０２は、測定又は感知したキャパシタンス値をアップデート又は調整することができる。
【００１６】
図３は、例示的実施形態における２次元ディスク３０２を有する光学エンコーダ３００の描写図である。光学エンコーダ３００は、図２のブロック図における光学エンコーダ２１０として動作することができる。２次元ディスク３０２は、大表面３０４がモータ２１６のシャフト３０６を有するモータ２１６に向かって対面する状態で位置決めし、シャフト０６は、ディスク３０２のほぼ中心３０８に貫通するトランスミッション２１８に係合する。ディスク３０２はシャフト３０６に固定し、この固定は、シャフト３０６が回転するとき、ディスク３０２も回転するように行う。ディスク３０２は、複数の交互の暗セグメント３１０及び反射セグメント３１２を有する。光センサ３１４は印刷回路板（ＰＣＢ）３１６上に位置決めする。印刷回路板３１６は、ディスク３０２に対する光センサ３１４の向きに基づいて、プロセッサ回路２０４及び他のコンポーネントが位置決めされるＰＣＢとは異なるＰＣＢとすることができる。
【００１７】
モータ２１６がシャフト３０６を回転するとき、ディスク３０２も同様に回転して、暗セグメント及び反射セグメント３１０、３１２が光センサ３１４を通過するようにさせる。光センサ３１４は、各セグメント３１０、３１２プロセッサ回路２０４を通過することを示す信号を出力する。プロセッサ回路２０４は各セグメント３１０、３１２の通過に同調して、シャフト３０６がどのくらい多く回転したか、及びひいてはスプール２２０がどのくらい多く回転したかを認識することができる。
【００１８】
しかし、２次元ディスク３０２を有する光学エンコーダ２１０は、本明細書で開示するように、３次元ディスク３０２と比較すると幾つかの欠点があり得る。とくに、ディスク３０２を精密に製造する課題は、コストを上昇させ、また信頼性を低下させるおそれがある。セグメント３１０、３１２間の不明確又は「ファジー」なエッジは、セグメント３１０、３１２が光センサ３１４の視界内で移行するときに各セグメント３１０、３１２を識別する光センサ３１４の信頼性を損なうおそれがある。
【００１９】
図４は、例示的実施形態における３次元エンコーダ４００の描写図である。３次元エンコーダ４００はドラム式エンコーダであり、ドラム部分４０２と、この円筒形部分に結合し、また例えば、モータシャフト３０６に３次元エンコーダ４００を固定するよう構成された固定部分４０４とを有する。固定部分は、中実とすることができる、又はドラム部分４０２とシャフト３０６との間に延在する個別部分、例えば、スポーク等とすることができる。
【００２０】
図示のように、ドラム部分４０２は円筒状でありかつ円形断面を有するが、円錐状、八角形状、等々の種々の適当なジオメトリのうち任意なものが考えられる。２次元ディスク３００におけるように、ドラム４００は、第２複数セグメント４０８、例えば、反射セグメント間に交互に位置決めされる第１複数セグメント４０６、例えば、暗セグメントを有する。第１及び第２の複数セグメント４０６、４０８は、ドラム部分４０２の外面４１０に位置決めされる。
【００２１】
図５は、例示的実施形態における３次元エンコーダ４００を有する光学エンコーダ５００の描写図である。光学エンコーダ５００は図２のブロック図における光学エンコーダ２１０のように動作することができる。３次元エンコーダ４００に加えて、光学エンコーダ５００は、第１光センサ５０４及び第２光センサ５０６を含む光センサ５０２を有し、これら第１及び第２の光センサそれぞれは、３次元エンコーダ４００の光領域５０８内にあり、この光領域５０８は、第１及び第２の光センサ５０４、５０６が第１及び第２の複数セグメント４０６、４０８間の相違を識別できる距離である。このように光領域５０８は、第１及び第２の光センサ５０４、５０６の異なるタイプ間で異なる。外観設計要件が光センサ５０２と３次元エンコーダ４００との間の特定距離を必要とする場合、第１及び第２の光センサ５０４、５０６は、少なくともその距離と同程度の長さの光領域５０８を有するよう選択することができる。
【００２２】
第１光センサ５０４はＰＣＢ３１６の第１大表面５１０上に位置決めするとともに、第２光センサ５０６はＰＣＢ３１６の第２大表面５１２上に位置決めする。図示の実施形態において、第１及び第２の光センサ５０４、５０６は、第１及び第２の複数セグメント４０６、４０８の各個における高さ５１６にほぼ等しい垂直方向間隔５１４を有する、例えば、高さ５１６の約５％の範囲内にある。このように、第１及び第２の光センサ５０４、５０６各々は、同一タイプのセグメント双方を検出する、すなわち、暗セグメント又は反射セグメントの双方を検出する。第１及び第２の光センサ５０４、５０６各々が同一タイプのセグメントを検出しない場合、例えば、第１光センサ５０４が第１複数セグメント４０６のうち１つを検出し、また第２光センサ５０６が第２複数セグメント４０８のうち１つを検出する（又はその逆で検出する）場合、この不一致は、即座に第１及び第２の光センサ５０４、５０６の双方が同一タイプのセグメント４０６、４０８を検出するよう解決することが期待され得る。
【００２３】
光センサ５０２の特別な形態を説明したが、光センサの数及び向きは異なる実施形態間で変化し得ることを付記及び強調する。したがって、光センサ５０２の他の実施例では単に１個の個別光センサを有することができるとともに、光センサ５０２のさらに３つ又はそれ以上の個別光センサを有することができる。しかし、種々の実施例において、各光センサはＰＣＢ３１６の大表面５１０、５１２のうち一方に位置決めする。
【００２４】
図６Ａ〜６Ｃは、例示的実施形態における光学エンコーダ５００の主軸６００に対して中心がずれている光学エンコーダ５００の動作を示す。図６Ａにおいて、モータシャフト３０６（図示せず）が貫通する固定部分４０４における開口部６０４の中心６０２は、主軸６００に対して或る距離オフセットしている。図６Ｂにおいて開口部６０４がシャフト３０６（図示せず）の周りに固着された状態で、外表面４１０及びひいては第１及び第２の複数セグメント４０６、４０８は、光センサ５０２の第１距離６０６の範囲内にある。図６Ｃにおいては、光学エンコーダ５００が図６Ｂの状態に対して半回転を完了しており、外表面４１０が光センサ５０２の第２距離６０８の範囲内にあり、この第２距離６０８は、中心がずれた開口部６０４がモータシャフト３０６の周りに固着されていることに起因して、第１距離よりも大きい。
【００２５】
主軸６００と開口部の中心との間におけるオフセットは、製造プロセスにおける予期せぬ結果であり得る。しかし、光センサ５００の特性に起因して、第１及び第２の複数セグメント４０６、４０８それぞれの見掛けの高さ５１６（図５参照）は同一のままに留まるが、これに反して２次元光センサ３００のディスク３０２（図３参照）のセグメント３１０、３１２の見かけのサイズは、同様のオフセットがある場合に変化する。この結果として、このような不一致の問題は、単に光センサ５０２の焦点距離の相違を生ずる結果となる。焦点距離の相違は、光センサ５０２を光センサ５０２の光領域５０８の範囲内にすることによって解消することができる。このようにして、光学エンコーダ５００は製造プロセスでの差異を、光学エンコーダ３００の製造プロセスで許容できる差異よりも大きく許容することができ、並びに使用中における通常の摩耗及び破損に対する堅牢性をより高くすることができる。
【００２６】
図７は、例示的実施形態における３次元エンコーダ７００の別実施例の描写図である。３次元エンコーダ７００は、それ以外は３次元エンコーダ４００と同一特性を有することができる。すなわち、第１及び第２の複数セグメント４０６、４０８をドラム部分４０２の外表面に有するのではなく、３次元エンコーダ７００は、第１及び第２の複数セグメント４０６、４０８を内表面７０２に有している。３次元エンコーダ７００は、それ以外は光センサ５００と類似する構成にして利用することができ、光センサ５０２は内表面７０２を感知するよう位置決めされる。
【００２７】
図８Ａ〜８Ｃは、例示的実施形態における３次元エンコーダ５００、７００用の製造プロセスを示す。
【００２８】
図８Ａにおいて、細長い第１及び第２の複数セグメント４０６、４０８のシート８００を個別の細条８０２に切断する。シート８００は、任意の適当な材料、例えばマイラー（登録商標）で作成し、また暗セグメント、例えば第１複数セグメント４０６をシート８００の大表面８０４上に印刷する。反射セグメント、例えば第２複数セグメント４０８は、マイラーを未処理又はほとんど未処理にしておく。
【００２９】
図８Ｂにおいて、細条８０２を折り曲げ、大表面８０４、すなわち印刷側が所望に応じて外表面５０８又は内表面７０２のいずれかにあるようにする。第１端部８０６を第２端部８０８に固定してループを作成する。
【００３０】
図８Ｃにおいて、細条８０２を所望に応じて３次元エンコーダ５００、７００を形成するようフレーム８１０に結合する。フレーム８１０は、固定部分４０４及びドラム８１２を有し、ドラム８１２に細条８０２を固着してドラム部分４４０２を形成する。
【実施例】
【００３１】
実施例１において、履物品は、ミッドソールと、ミッドソールに対して固定されるアッパーと、ミッドソール内に位置決めされる電動紐締めシステムであって、紐の張力を増減するため紐に係合するよう構成される、該電動紐締めシステムとを備え、電動紐締めシステムは、モータシャフトを含むモータ、モータシャフトに連結され、モータシャフトの回転に基づいて紐を巻き取りまた巻き戻すよう構成されたスプール、プロセッサ回路、及び光学エンコーダを有し、この光学エンコーダは、主軸を画定し、また第２複数セグメント間に位置決めされる第１複数セグメントがある表面を有する３次元エンコーダであって、第１複数セグメントは、第２複数セグメントとは異なる光反射特性を有し、モータシャフトの回転が３次元エンコーダを主軸周りに回転させるようモータシャフトに固定される、該３次元エンコーダと、及び円筒形のエンコーダにおける光領域内に位置決めされ、第１複数セグメント及び第２複数セグメントのうち検出された一方のセグメントを示している信号をプロセッサ回路に出力するよう構成された光センサと、を備え、プロセッサ回路は、少なくとも部分的に光センサから受信する信号に基づいてモータを動作させるよう構成されている。
【００３２】
実施例２において、実施例１の履物品は、随意的に、さらに、前記３次元エンコーダは円筒形をなす。
【００３３】
実施例３において、実施例１及び２のうち任意な１つ又はそれ以上における履物品は、随意的に、さらに、前記電動紐締めシステムが印刷回路板（ＰＣＢ）を備え、前記ＰＣＢ上に前記プロセッサ回路及び前記光センサを位置決めする。
【００３４】
実施例４において、実施例１〜３のうち任意な１つ又はそれ以上における履物品は、随意的に、さらに、前記光センサは、前記ＰＣＢの第１大表面上における第１光センサ、及び前記ＰＣＢの第２大表面上における第２光センサを有する。
【００３５】
実施例５において、実施例１〜４のうち任意な１つ又はそれ以上における履物品は、随意的に、さらに、前記第１光センサと前記第２光センサとの間の間隔が、前記第1複数セグメントにおける隣接するセグメント間の間隔にほぼ等しい。
【００３６】
実施例６において、実施例１〜５のうち任意な１つ又はそれ以上における履物品は、随意的に、さらに、前記３次元エンコーダの表面が前記主軸に対面する。
【００３７】
実施例７において、実施例１〜６のうち任意な１つ又はそれ以上における履物品は、随意的に、さらに、前記３次元エンコーダの表面が前記主軸側とは反対側に対面する。
【００３８】
実施例８において、履物品を作成する方法は、ミッドソールをアッパーに固定するステップと、紐をアッパーに通すステップと、及び前記紐の張力を増減するため紐に係合するよう構成される電動紐締めシステムをミッドソール内に位置決めするステップとを備え、前記電動紐締めシステムは、モータシャフトを含むモータ、モータシャフトに連結され、モータシャフトの回転に基づいて紐を巻き取りまた巻き戻すよう構成されたスプール、プロセッサ回路、及び光学エンコーダを有し、この光学エンコーダは、主軸を画定し、また第２複数セグメント間に位置決めされる第１複数セグメントがある表面を有する３次元エンコーダであって、前記第１複数セグメントは、前記第２複数セグメントとは異なる光反射特性を有し、前記モータシャフトの回転が前記３次元エンコーダを主軸周りに回転させるようモータシャフトに固定される、該３次元エンコーダと、及び前記円筒形のエンコーダにおける光領域内に位置決めされ、第１複数セグメント及び第２複数セグメントのうち検出された一方のセグメントを示している信号をプロセッサ回路に出力するよう構成された光センサと、を備え、前記プロセッサ回路は、少なくとも部分的に前記光センサから受信する信号に基づいてモータを動作させるよう構成されている。
【００３９】
実施例９において、実施例８の方法は、随意的にさらに、前記３次元エンコーダは円筒形をなす。
【００４０】
実施例１０において、実施例８及び９のうち任意な１つ又はそれ以上における方法は、随意的に、さらに、前記電動紐締めシステムが印刷回路板（ＰＣＢ）を備え、このＰＣＢ上に前記プロセッサ回路及び前記光センサを位置決めする。
【００４１】
実施例１１において、実施例８〜１０のうち任意な１つ又はそれ以上における方法は、随意的に、さらに、前記光センサが前記ＰＣＢの第１大表面上における第１光センサ、及び前記ＰＣＢの第２大表面上における第２光センサを有する。
【００４２】
実施例１２において、実施例８〜１１のうち任意な１つ又はそれ以上における方法は、随意的に、さらに、前記第１光センサと前記第２光センサとの間の間隔が、前記第１複数セグメントにおける隣接するセグメント間の間隔にほぼ等しい。
【００４３】
実施例１３において、実施例８〜１２のうち任意な１つ又はそれ以上における方法は、随意的に、さらに、前記３次元エンコーダの表面が前記主軸に対面する。
【００４４】
実施例１４において、実施例８〜１３のうち任意な１つ又はそれ以上における方法は、随意的に、さらに、前記３次元エンコーダの表面が前記主軸側とは反対側に対面する。
【００４５】
実施例１５において、電動紐締めシステムは、モータシャフトを含むモータ、モータシャフトに連結され、モータシャフトの回転に基づいて紐を巻き取りまた巻き戻すよう構成されたスプール、プロセッサ回路、及び光学エンコーダを有し、この光学エンコーダは、主軸を画定し、また第２複数セグメント間に位置決めされる第１複数セグメントがある表面を有する３次元エンコーダであって、第１複数セグメントは、第２複数セグメントとは異なる光反射特性を有し、モータシャフトの回転が３次元エンコーダを主軸周りに回転させるようモータシャフトに固定される、該３次元エンコーダと、及び前記円筒形のエンコーダにおける光領域内に位置決めされ、第１複数セグメント及び第２複数セグメントのうち検出された一方のセグメントを示している信号をプロセッサ回路に出力するよう構成された光センサと、を備え、プロセッサ回路は、少なくとも部分的に光センサから受信する信号に基づいてモータを動作させるよう構成されている。
【００４６】
実施例１６において、実施例１５の電動紐締めシステムは、随意的にさらに、前記３次元エンコーダが円筒形をなす。
【００４７】
実施例１７において、実施例１５及び１６のうち任意な１つ又はそれ以上における電動紐締めシステムは、随意的に、さらに、前記電動紐締めシステムが印刷回路板（ＰＣＢ）を備え、前記ＰＣＢ上に前記プロセッサ回路及び前記光センサを位置決めする。
【００４８】
実施例１８において、実施例１５〜１７のうち任意な１つ又はそれ以上における電動紐締めシステムは、随意的に、さらに、前記光センサが前記ＰＣＢの第１大表面上における第１光センサ、及び前記ＰＣＢの第２大表面上における第２光センサを有する。
【００４９】
実施例１９において、実施例１５〜１８のうち任意な１つ又はそれ以上における電動紐締めシステムは、随意的に、さらに、前記第１光センサと前記第２光センサとの間の間隔が、前記第１複数セグメントにおける隣接するセグメント間の間隔にほぼ等しい。
【００５０】
実施例２０において、実施例１５〜１９のうち任意な１つ又はそれ以上における電動紐締めシステムは、随意的に、さらに、前記３次元エンコーダの前記表面が前記主軸に対面する。
【００５１】
実施例２１において、実施例５１〜２０のうち任意な１つ又はそれ以上における電動紐締めシステムは、随意的に、さらに、前記３次元エンコーダの前記表面が前記主軸側とは反対側に対面する。
【００５２】
本明細書全体にわたり、複数事例は、単数事例として説明されるコンポーネント、動作、又は構造を実装することができる。１つ又はそれ以上の方法における個別動作は別個の動作として説明及び記載されるが、１つ又はそれ以上の個別動作は同時に実施することができ、またこれら動作は説明した順序で実施すべきものである必要はない。例示的形態における別個のコンポーネントとして提示された構造及機能性は、組合せの構造又はコンポーネントとして実装することができる。同様に、単一コンポーネントとして提示された構造及び機能性は別個のコンポーネントとして実装することができる。これら及び他の改変、変更、追加、及び改良は、本発明要旨の範囲内にある。
【００５３】
若干の実施形態は、論理又は多数のコンポーネント、モジュール又は機構を含むものとして記載される。モジュールは、ソフトウェアモジュール（例えば、マシン可読媒体上若しくは伝送信号内に埋め込まれたコード）又はハードウェアモジュールのいずれかを構成することができる。「ハードウェアモジュール」は、若干の動作を実施することができる有形ユニットであり、また若干の物理的様態で構成又は配備することができる。種々の例示的実施形態において、１つ又はそれ以上のコンピュータシステム（例えば、スタンドアロンコンピュータシステム、クライアントコンピュータシステム、若しくはサーバーコンピュータシステム）又はコンピュータシステムにおける１つ又はそれ以上のハードウェアモジュール（例えば、プロセッサ若しくはプロセッサのグループ）は、ソフトウェア（例えば、アプリケーション若しくはアプリケーション部分）によって、本明細書記載の若干の動作を実施するよう動作するソフトウェアモジュールとして構成することができる。
【００５４】
幾つかの実施形態において、ハードウェアモジュールは、機械的に、電子的に又はそれらの任意な適切組合せで実装することができる。例えば、ハードウェアモジュールは、若干の動作を実施するよう不変に構成された専用回路又は論理回路を有することができる。例えば、ハードウェアモジュールは、例えば、フィールド・プログラマブル・ゲート・アレイ（ＦＰＧＡ）又はＡＳＩＣのような専用プロセッサとすることができる。ハードウェアモジュールは、さらに、若干の動作を実施するようソフトウェアによって一時的に構成されたプログラマブル論理又は回路とすることもできる。例えば、ハードウェアモジュールは、汎用プロセッサ又は他のプログラマブルプロセッサ内に包含されるソフトウェアを有することができる。当然のことながら、機械的に専用化及び不変に構成された回路として、又は一時的に構成された回路（ソフトウェアによって構成された）としてハードウェアモジュールを実装する決断は、コスト及び時間を考慮してなされ得る。
【００５５】
したがって、語句「ハードウェアモジュール」は、或る様態で動作するよう又は本明細書記載の若干の動作を実施するように、物理的に構築された、不変に構成された（例えば、配線で接続された）又は一時的に構成された（例えば、プログラムされた）実体である、有体物を包含すると理解すべきである。本明細書で使用されるように、「ハードウェア実装モジュール（hardware-implemented module）」はハードウェアモジュールに言及するものである。ハードウェアモジュールが一時的に構成された（例えば、プログラムされた）実施形態を考慮すると、各ハードウェアモジュールは、常時構成されている又はインスタンス化されている必要はない。例えば、ハードウェアモジュールがソフトウェアによって専用プロセッサとなるよう構成される汎用プロセッサを含む場合、汎用プロセッサは、異なる時点でそれぞれ異なる専用プロセッサ（例えば、異なるハードウェアモジュールを有する）として構成することができる。したがって、ソフトウェアは、例えば、一時点で特定ハードウェアモジュールを構築するよう、また異なる時点で異なるハードウェアモジュールを構築するようプロセッサを構成することができる。
【００５６】
ハードウェアモジュールは、他のハードウェアモジュールに対して情報を供給及び受け取ることができる。したがって、本明細書に記載のハードウェアモジュールは、通信により結合されていると見なすことができる。多重ハードウェアモジュールが同時に存在する場合、通信は、２つ又はそれ以上のハードウェアモジュール間で信号伝送（例えば、適切な回路及びバス上）により達成することができる。多重ハードウェアモジュールが異なる時点で構成又はインスタンス化されている実施形態において、このようなハードウェアモジュール間における通信は、例えば、多重ハードウェアモジュールがアクセスするメモリ構造における情報を記憶及び回収することにより達成することができる。例えば、１つのハードウェアモジュールは、１つの動作を実施し、また通信可能に結合されたメモリデバイスにその動作の出力を記憶することができる。この後、他のハードウェアモジュールが後の時点でメモリデバイスにアクセスして、記憶した出力を回収して処理することができる。ハードウェアモジュールは、さらに、入力又は出力デバイスとの通信を開始し、またリソース上で動作する（例えば、情報収集）ことができる。
【００５７】
本明細書記載の例示的方法における種々の動作は、関連動作を実施するよう一時的に構成された（例えば、ソフトウェアによって）又は不変に構成された１つ又はそれ以上のプロセッサによって、少なくとも部分的に実施することができる。一時的又は不変に構成されたか否かに係わらず、このようなプロセッサは、本明細書記載の１つ又はそれ以上の動作又は機能を実施するよう動作するプロセッサ実装モジュールを構築することができる。本明細書で使用される「プロセッサ実装モジュール（processor-implemented module）」は、１つ又はそれ以上のプロセッサを使用して実装されるハードウェアモジュールに言及する。
【００５８】
同様に、本明細書記載の方法は、少なくとも部分的にプロセッサ実装された、ハードウェアの一例であるプロセッサとすることができる。例えば、方法における少なくとも幾つかの動作は、１つ又はそれ以上のプロセッサ又はプロセッサ実装モジュールによって実施することができる。さらに、１つ又はそれ以上のプロセッサは、「クラウドコンピューティング」環境における、又は「ソフトウェア・アズ・ア・サービス（ＳａａＳ）」としての関連動作の実施を支援するよう動作することもできる。例えば、少なくとも幾つかの動作は、一群のコンピュータ（例えば、プロセッサを含むマシン）によって実施することができ、これら動作は、ネットワーク（例えば、インターネット）を介して、又は１つ又はそれ以上の適切なインタフェース（例えば、アプリケーション・プログラム・インタフェース(ＡＰＩ)）を介してアクセス可能である。
【００５９】
若干の動作パフォーマンスは、１つ又はそれ以上のプロセッサに分散させることができ、これは単一マシン内に存在するだけでなく、多数のマシンにわたり展開させることができる。幾つかの例示的実施形態において、１つ又はそれ以上のプロセッサ又はプロセッサ実装モジュールは、単一の地理的場所（例えば、家庭環境、オフィス環境、又はサーバーファーム）に設置することができる。他の例示的実施形態において、１つ又はそれ以上のプロセッサ又はプロセッサ実装モジュールは、多数の地理的場所にわたり分散させることができる。
【００６０】
本明細書の幾つかの部分は、マシンメモリ（例えば、コンピュータメモリ）内にビット又は二進デジタル信号として記憶したデータにおける動作のアルゴリズム又は象徴の観点から表現される。これらアルゴリズム又は象徴は、データ処理における当業者が使用する技術の例であり、その作業の本質は当業者に伝わるであろう。本明細書で使用される「アルゴリズム」は、所望結果に至る自己無撞着動作シーケンス又は同様の処理である。この文脈において、アルゴリズム及び動作は、物理量の物理的取り扱い操作を含む。一般的に、必ずしもではないが、このような量は、マシンが記憶、アクセス、転送、組み合わせ、比較、又は他の取り扱い操作できる電気的、磁気的又は光学的な信号の形態をとることができる。時には主に共通の使用理由として、例えば、「データ」、「コンテンツ」、「ビット」、「値」、「要素」、「シンボル」、「文字」、「用語」、「番号」、「数字」等々のようなワードを使用してこのような信号に言及するのは都合がよい。しかし、これらワードは単に都合のよい標識であり、適切な物理量に関連付けられるべきものである。
【００６１】
他に特別に明示しない限り、「プロセッシングする」、「コンピューティングする」、「計算する」、「決定する」、「提示する」、「表示する」等々のワードを使用しての本明細書における詳述は、１つ又はそれ以上のメモリ（例えば、揮発性メモリ、不揮発性メモリ、若しくはそれらの任意の適当な組合せ）、レジスタ、又は情報を受け取り、記憶し、伝送し、又は表示する他のマシンコンポーネント内における物理的（電子的、磁気的、又は光学的）な量として表現されるデータを取り扱い操作又は変換するマシン（例えば、コンピュータ）のアクション又はプロセスに言及することができる。さらに、他に特別に明示しない限り、本明細書中、特許文献で共通に使用される用語「a」、「an」は、１つ若しくは１つより多い場合を含むものとする。最後に、本明細書使用される接続詞「又は／若しくは（or）」は、他に特別に明示しない限り、非排他的「又は／若しくは（or）」であることに言及する。
【図１】
2021527544.tif 000003
【図２】
2021527544.tif 000004
【図３】
2021527544.tif 000005
【図４】
2021527544.tif 000006
【図５】
2021527544.tif 000007
【図６Ａ】
2021527544.tif 000008
【図６Ｂ】
2021527544.tif 000009
【図６Ｃ】
2021527544.tif 000010
【図７】
2021527544.tif 000011
【図８Ａ】
2021527544.tif 000012
【図８Ｂ】
2021527544.tif 000013
【図８Ｃ】
2021527544.tif 000014
【国際調査報告】
2021527544.tif 000015
2021527544.tif 000016